(57)【特許請求の範囲】
【請求項１】
乳児用支持器（２）に揺動運動を生じさせるための装置（１）であって、ベアリングアーム（１２）と、前記支持器（２）の懸吊装置として設計されている引張機構（１３）とを有する基台（１０）に配置されたフレーム（１１）を含む装置（１）において、
振動または振動のパルスを生じさせる駆動要素（１４）が提供され、前記引張機構（１３）は上下に揺らす器具（１５）に取り付けられ、前記器具（１５）は、前記振動または前記振動のパルスを導入することにより前記支持器（２）が連続的または断続的に揺動運動を行うように設計され、前記駆動要素（１４）は電気モータ、または油圧式もしくは空気圧式に作動されるモータ、またはバネ機構もしくは磁気駆動装置を介して駆動されるモータであり、
前記振動の振幅は調整可能であり、さらなる電動式駆動要素が提供され、それを用いて、前記器具（１５）のおよび／または前記駆動要素（１４）の位置合わせを調整可能であること、を特徴とする装置（１）。
【請求項２】
前記基台（１０）が、前記駆動要素（１４）を収容する中空体として形成される、
ことを特徴とする、請求項１に記載の装置（１）。
【請求項３】
前記揺動運動の急な開始を回避するために、弾性懸吊要素（１８）が提供される、
ことを特徴とする、請求項１または２に記載の装置（１）。
【請求項４】
弾性のまたは弾力のある引張機構（１３）により前記揺動運動の急な開始が防止される、
ことを特徴とする、請求項１〜３のいずれか一項に記載の装置（１）。
【請求項５】
前記器具（１５）がロッド状引張要素（１５）を含み、前記ロッド状引張要素（１５）は前記駆動要素（１４）に配置され、および回転、部分的な回転を用いることによって、または上下に揺れる動きを用いることによって、前記引張機構（１３）を上方へ解放すること、および再び下方へ引っ張ることを交互に行う、
ことを特徴とする、請求項１〜４のいずれか一項に記載の装置（１）。
【請求項６】
前記駆動要素（１４）の振動の率／周波数が調整可能である、
ことを特徴とする、請求項１〜５のいずれか一項に記載の装置（１）。
【請求項７】
前記駆動要素（１４）の開始速度が制御可能である、
ことを特徴とする、請求項１〜６のいずれか一項に記載の装置（１）。
【請求項８】
少なくとも１つの音響記録および／または出力要素（２０）が提供される、
ことを特徴とする、請求項１〜７のいずれか一項に記載の装置（１）。
【請求項９】
ＷＬＡＮ、ブルートゥース（登録商標）
または別のケーブルレス無線通信網の形態の送受信装置が装置（１）に提供される、
ことを特徴とする、請求項１〜８のいずれか一項に記載の装置（１）。
【請求項１０】
センサが提供され、前記センサは乳児の特別な動き、状態または雑音を判定し、および予めプログラムされた動作を制御器を介して自動的に開始する、
ことを特徴とする、請求項１〜９のいずれか一項に記載の装置（１）。
【請求項１１】
上記の器具を駆動しおよびそれに供給するためのエネルギーを得るための太陽電池が提供される、
ことを特徴とする、請求項１〜１０のいずれか一項に記載の装置（１）。
【請求項１２】
バッテリ、好ましくは充電可能なバッテリが取り付けられる、
ことを特徴とする、請求項１〜１１のいずれか一項に記載の装置（１）。
【発明の詳細な説明】
【技術分野】
【０００１】
本発明は、乳児用支持器に揺動運動を生じさせる装置であって、ベアリングアームと支持器の懸吊装置として設計された引張機構とを有する基台に配置されたフレームを含む装置に関する。以下の文章において、乳児用支持器は、例えばベビーベッド、子供のベッド、ベビーカー等など、長時間にわたり乳児を保持するために一般に提供される、またはそのような受容器を支持するのに適した全ての装置であるように理解されるべきである。
【背景技術】
【０００２】
揺れる動きを生じさせるために手動で押すことができる乳児用スイング（ｂａｂｙ  ｓｗｉｎｇ）または乳児用揺り椅子（ｂａｂｙ  ｒｏｃｋｅｒ）が、従来技術から知られている。これら乳児用スイングまたは乳児用揺り椅子に対して手動の振動または手動の振動の弾み（ｉｍｐｕｌｓｅ）を導入する結果として、提供される支持器は振動運動を始め、往復式にまたは上下に揺れる。
【０００３】
同じく先行技術から知られているのは、例えばベビーカー、子供のベッド等を乳児用揺り椅子に配置するように設計された支持器を含み、その家具を往復式に揺らす振動機構を設けられた乳児用揺り椅子である。
【０００４】
これらの乳児用揺り椅子の欠点は、主として、乳児用揺り椅子はそれらの取扱いにおいて実用的でないという事実にある。加えて、これらの乳児用揺り椅子は、技術的に複雑な方法で構成され、高い購入価格を伴う。
【発明の概要】
【発明が解決しようとする課題】
【０００５】
本発明は、前述の欠点を排除する、乳児用支持器の揺動運動を自動で生じさせるための装置を考案するという目的に基づく。
【課題を解決するための手段】
【０００６】
本発明によれば、上記の目的は、特徴付けられる特徴部と併せた請求項１の前提部により達成される。本発明による装置の有利な改良および発展は従属項に特定される。
【０００７】
本発明によれば、最初の部分に記載された種類の装置は、振動または振動の弾みを誘起する駆動要素が提供される点で特徴付けられ、ここで、引張機構を上下に揺らす器具であって振動または振動の弾みを開始することにより支持器が連続的または断続的に揺動運動を受けることが引き起こされるように設計された器具が駆動要素に提供される。
【０００８】
駆動要素は好ましくは電気モータ、または油圧式もしくは空気圧式に作動されるモータ、またはバネ機構もしくは磁気駆動装置を介して駆動されるモータである。加えて、言うまでもなく、それらが振動または振動の弾みを開始または維持するのに適切である場合、全てのさらなる考えられる駆動装置も考慮される。
【０００９】
引張機構は通常、コード、チェーン、織物ストリップ、または織物ループとして構成され、本発明は全ての種類および実施形態の引張機構に関連する。
【００１０】
引張機構は、駆動要素と引かれる支持器との間に配置される。駆動要素は従って引張装置を形成し、支持器は従って引かれる物体を形成する。本発明による駆動要素に提供される器具であって、引張機構を上下に揺らし、連続的または断続的な揺動運動を受ける支持器の振動または振動の弾みを開始する器具は、駆動要素自体の一部であるか、独立した構成要素として駆動要素に配置される。
【００１１】
本発明による装置のさらなる目的、特徴、利点および可能な利用は、図面を用いることによって、例示的実施形態の以下の記載から明らかになる。ここで、記載されるおよび／または絵的に説明される全ての特徴は、各請求項またはそれらの逆参照に関係なく、それだけでまたはいずれかの所望の組合せで、本発明の主題を形成する。
【図面の簡単な説明】
【００１２】
【図１】好ましい実施形態の本発明による装置を斜視図で示す。
【発明を実施するための形態】
【００１３】
図１から見ることができるように、乳児用支持器２に揺動運動を生じさせるための装置１は、ベアリングアーム１２と、支持器２の懸吊装置として設計されている引張機構１３とを有する基台１０に配置されたフレーム１１を含む。基台は、駆動要素１４を収容する中空体として形成されると好ましい。本発明のこの有利な実施形態において、引張機構１３は、上下に揺れる器具１５上に配置され、支持器２の懸吊装置１７用の偏向器具１６（好ましくは偏向ローラ）上で案内される。
【００１４】
駆動要素をオンに切り換え、そして器具１５を用いて振動または振動の弾みを開始することによって、支持器２は連続的または断続的な揺動運動を始める。揺動運動の急な開始を回避するために、弾性懸吊要素１８が有利に設けられ、それは例えばバネから構成される。加えて、あるいは（追加的に）弾性のまたは弾力のある引張機構の設計を用いることによって、揺動運動の急な開始を防止することができる。
【００１５】
図１に示される実施形態において、支持器２は乳児用のかご状の容器２を含む。
【００１６】
本実施形態の器具１５は、ロッド状引張要素１５を含み、ロッド状引張要素１５は回転駆動要素１４に配置され、および回転、部分的な回転を用いることによって、または上下に揺れる動きを用いることによって、引張機構１３を上方へ解放すること、および再び下方へ引っ張ることを交互に行う。
【００１７】
装置の制御器１９は好ましくは基台に提供される。
【００１８】
駆動要素１４の振動の率／周波数は、切換器１９ａを用いて調整される。
【００１９】
駆動要素１４の開始速度は、切換器１９ｂを用いて制御される。
【００２０】
振動の振幅は切換器１９ｃを用いて調整される。このため、さらなる電動式駆動要素３０が好ましくは提供され、それを用いて、器具１５のおよび／または駆動要素１４の位置合わせを調整可能である。ここで、器具１５または駆動要素１４の角度的位置合わせの変更または距離または長手方向の位置合わせの変更の両方が可能であり、これは、引張機構１３の、およびその結果として支持器２の振動の振幅が変更されるという効果を有する。
【００２１】
引張機構１３にまたは引張機構と支持器２との間に配置されたバネは、交換できるように、および様々な重量向けに設計可能である。
【００２２】
支持器１２の上に、少なくとも１つの音響記録および／または出力要素２０（例えば少なくとも１つのスピーカおよびマイクロホンを有するＭＰ３プレーヤ）が好ましくは提供される。これにより例えば子守唄を記録し再生することが可能になる。このため、ＵＳＢ／ＳＤカード接続部が同じく任意選択的に存在することができる。本発明のさらなる好ましい実施形態では、ビデオカメラが提供され、それを用いて、乳児を遠隔式に（例えばスマートフォンまたはタブレットで）観察することもできる。スピーカを介した音の出力と併せて、乳児とコミュニケーションを取ることも可能である。このため、ＷＬＡＮ、ブルートゥース（登録商標）または別のケーブルレス無線通信網の形態の送受信装置が好ましくは装置１に提供される。
【００２３】
さらに有利な実施形態において、センサが提供され、センサは乳児の特別な動き、状態または雑音（発語）を判定する、または予めプログラムされた動作を自動的に開始する。そのような作動は、歌の音響的再生、揺動運動またはアラームの開始であり得、これは例えばスマートフォンを用いて実行される。これらの機能はオンとオフを切り換えることができる。
【００２４】
さらに、上記の器具を駆動しおよびそれに供給するためのエネルギーを得るために太陽電池を装置に提供し、それにより装置を自律式におよび屋外で使用できるようにもすることが考えられる。
【００２５】
このため、装置にバッテリ（好ましくは充電可能なバッテリ）を取り付けることも有利であり得る。
【００２６】
本発明による装置はその実施形態において上に特定した好ましい実施形態に制限されない。むしろ、記載された解決策を使用する多数の構成上の変更が、基本的に異なる実施形態においてさえ、考えられる。
【符号の説明】
【００２７】
１  装置
２  支持器
１０  基台
１１  フレーム
１２  ベアリングアーム
１３  引張機構
１４  駆動要素１４
１５  上下に振動する器具
１６  偏向器具
１７  懸吊装置
１８  弾性懸吊要素
１９  制御器
１９ａ、１９ｂ、１９ｃ  切換器
２０  記録／出力要素
３０  さらなる電動式駆動要素
【図１】
0006488383.tif 000002